(57)【要約】      （修正有）【課題】試験管の爆裂による人体への傷害を防ぐ加熱用試験管立てを提供する。【解決手段】ベース１、及びベース１に貼り付けられた第一スタンド２と第二スタンド、及び第一スタンド２と第二スタンドの間に設置された試験管固定コンポーネント４を含む。第一スタンド２の側面に一つの突起２０１が設置され、当突起２０１の上に保護ボックス５が設置され、保護ボックス５と突起２０１の間に一本のピン６が設置される。保護ボックス５はＵ字形であり、保護ボックス５の二つ内側壁にそれぞれシュートが設置され、二つのシュートの間に透明板７が連携される。【選択図】図１
0003193112.tif 000002
【実用新案登録請求の範囲】
【請求項１】
加熱用試験管立てであり、その特徴は：ベース、及びベースに貼り付けられた第一スタンドと第二スタンド、及び第一スタンドと第二スタンドの間に設置された試験管固定コンポーネントを含み、第一スタンドの側面に一つの突起が設置され、当突起の上に保護ボックスが設置され、保護ボックスと突起の間に一本のピンが設置され、保護ボックスはU字形であり、保護ボックスの二つの内側壁にそれざれシュートが設置され、二つのシュートの間に透明板が連携され、試験管固定コンポーネントは一つの固定リング、及び固定リングの両側にネジ山で固定されたネジを含み、ネジの片端は固定リングの内部に伸ばし、もう片端は第一スタンドと第二スタンドの外部まで伸ばし、更に第一スタンドと第二スタンドの外部まで伸ばした端に回転レバーが設置されることを特徴とする加熱用試験管立て。
【請求項２】
請求項1に記載の加熱用試験管立てにおいて、その特徴は：透明板はガラスまたはプラスチック板であることを特徴とする加熱用試験管立て。
【請求項３】
請求項1に記載の加熱用試験管立てにおいて、その特徴は：前述したネジの固定リング内部に位置する端に半球状の保護パッドが設置されることを特徴とする加熱用試験管立て。
【請求項４】
請求項3に記載の加熱用試験管立てにおいて、その特徴は：前述した保護パッドはゴム製であることを特徴とする加熱用試験管立て。
【請求項５】
請求項1に記載の加熱用試験管立てにおいて、その特徴は：前述した回転レバーはネジと一体式であることを特徴とする加熱用試験管立て。
【考案の詳細な説明】
【技術分野】
【０００１】
本実用新案はある種の加熱用試験管立てに関わる。
【背景技術】
【０００２】
現在、試験室に使われた加熱用試験管立ては主に鋼製であり、試験管をその上に固定して、アルコールランプで加熱する。使用された試験管の欠陥や試薬の原因で、試験過程にて、試験管の爆裂事故が発生する可能性がある。既存の加熱用試験管立ては、使用されるときに良い保護効果を果たせないため、普及し難い。
【考案の概要】
【考案が解決しようとする課題】
【０００３】
本実用新案の解決したい技術問題はある種の加熱用試験管立てを提案することで、当装置は良い保護を提供でき、試験管の爆裂による人体への傷害を防げる。
【課題を解決するための手段】
【０００４】
上記技術問題を解決するため、本実用新案は以下の技術案を採用する：
【０００５】
ある種の加熱用試験管立てであり、ベース、及びベースに貼り付けられた第一スタンドと第二スタンド、及び第一スタンドと第二スタンドの間に設置された試験管固定コンポーネントを含む。第一スタンドの側面に一つの突起が設置され、当突起の上に保護ボックスが設置され、保護ボックスと突起の間に一本のピンが設置される。保護ボックスはU字形であり、保護ボックスの二つ内側壁にそれざれシュートが設置され、二つのシュートの間に透明板が連携される。試験管固定コンポーネントは一つの固定リング、及び固定リングの両側にネジ山で固定されたネジを含む。ネジの片端は固定リングの内に伸ばし、もう片端は第一スタンドと第二スタンドの外部まで伸ばし、更に第一スタンドと第二スタンドの外部まで伸ばした端に回転レバーが設置される。
【０００６】
良い技術案として、透明板はガラスまたはプラスチック板であり、試験管内の変化を観測することに便利である。
【０００７】
良い技術案として、前述したネジの固定リング内部に位置する端に半球状の保護パッドが設置される。
【０００８】
良い技術案として、前述した保護パッドはゴム製である。当保護パッドを通して、ネジを回すことよる試験管の損耗を防げる。
【０００９】
良い技術案として、前述した回転レバーはネジと一体式である。
【考案の効果】
【００１０】
本実用新案の有益効果は：作業過程にて、試験管固定コンポーネントを通して試験管を固定し、試験管を適当な角度に回して、そしてアルコールランプを付けて加熱する。加熱の過程中保護ボックスを回して、透明板と試験管の加熱ポイントを合わせる。試験管が爆裂しても、透明板は割れたガラス破片と試薬を阻止し、人体への傷害を防ぐ。本装置の構造は簡単で、コストも低く、普及し易い。
【図面の簡単な説明】
【００１１】
【図１】本実用新案のメインビューである。
【図２】本実用新案の上面図である。
【考案を実施するための形態】
【００１２】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１３】
図1と図2に記述されたある種の加熱用試験管立てに従って、ベース1、及びベース1に貼り付けられた第一スタンド2と第二スタンド3、及び第一スタンド2と第二スタンド3の間に設置された試験管固定コンポーネント4を含む。第一スタンド2の側面に一つの突起201が設置され、当突起201の上に保護ボックス5が設置され、保護ボックス5と突起201の間に一本のピン6が設置される。保護ボックス5はU字形であり、保護ボックス5の二つ内側壁にそれざれシュート（図に表示されたなかった）が設置され、二つのシュートの間に透明板7が連携される。試験管固定コンポーネント4は一つの固定リング401、及び固定リング401の両側にネジ山で固定されたネジ402を含む。ネジ402の片端は固定リング401の内に伸ばし、もう片端は第一スタンド2と第二スタンド3の外部まで伸ばし、更に第一スタンド2と第二スタンド3の外部まで伸ばした端に回転レバー403が設置される。
【００１４】
良い技術案として、透明板7はガラスまたはプラスチック板であり、試験管内の変化を観測することに便利である。
【００１５】
良い技術案として、前述したネジ402の固定リング401内部に位置する端に半球状の保護パッド412が設置される。
【００１６】
良い技術案として、前述した保護パッド412はゴム製である。当保護パッドを通して、ネジを回すことよる試験管の損耗を防げる。
【００１７】
良い技術案として、前述した回転レバー403はネジ402と一体式である。
【００１８】
本実用新案の有益効果は：作業過程にて、試験管固定コンポーネントを通して試験管を固定し、試験管を適当な角度に回して、そしてアルコールランプを付けて加熱する。加熱の過程中保護ボックスを回して、透明板と試験管の加熱ポイントを合わせる。試験管が爆裂しても、透明板は割れたガラス破片と試薬を阻止し、人体への傷害を防ぐ。本装置の構造は簡単で、コストも低く、普及し易い。
【００１９】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した権利要求書及び同等物によって定義される。
【符号の説明】
【００２０】
1  ベース
2  第一スタンド
3  第二スタンド
4  試験管固定コンポーネント
5  保護ボックス
6  ピン
7  透明板
201  突起
401  固定リング
402  ネジ
403  回転レバー
【図１】
0003193112.tif 000003
【図２】
0003193112.tif 000004